(57)【要約】【課題】  携行、管理、整理に便利であり、かつ、メモリデータの内容を表示可能なフラッシュメモリホルダを提供する。【解決手段】  本願発明のフラッシュメモリホルダは、フラッシュメモリを収容可能なメモリ収容体と、情報カードを収容可能なカード収容体を備え、メモリ収容体は重ねたシート間にメモリ収容空間を備え、カード収容体は重ねたシート間にカード収容空間を備え、メモリ収容体にはメモリ出し入れ口がメモリ収容空間に連通して設けられ、カード収容体にはカード出し入れ口がメモリ収容空間に連通して設けられ、カード収容体はカード収容空間内に収容した情報カードを外部から透視可能であり、メモリ収容体とカード収容体を並べて又は重ねてある。メモリ収容体及びカード収容体は軟質材製とすることができる。メモリ収容体とカード収容体の間に折りたたみ部を設けて、折りたたみ式としてもよい。【選択図】図１
2012153381.tif 000002
【特許請求の範囲】
【請求項１】
フラッシュメモリを収容可能なメモリ収容体と、当該メモリ収容体に収容されるフラッシュメモリに記憶されたメモリデータの内容を表示した情報カードを収容可能なカード収容体を備え、
前記メモリ収容体は、重ねたシート間にメモリ収容空間を備え、
前記カード収容体は、重ねたシート間にカード収容空間を備え、
前記メモリ収容体には、フラッシュメモリを出し入れ可能なメモリ出し入れ口が前記メモリ収容空間に連通して設けられ、
前記カード収容体には、情報カードを出し入れ可能なカード出し入れ口が前記メモリ収容空間に連通して設けられ、
前記カード収容体は、カード収容空間内に収容した情報カードを外部から透視可能であり、
前記メモリ収容体とカード収容体は、並んで又は重なっている、
ことを特徴とするフラッシュメモリホルダ。
【請求項２】
請求項１記載のフラッシュメモリホルダにおいて、
メモリ収容体及びカード収容体が軟質材製である、
ことを特徴とするフラッシュメモリホルダ。
【請求項３】
請求項１又は請求項２記載のフラッシュメモリホルダにおいて、
メモリ収容体とカード収容体の間に、折りたたみ部が設けられた、
ことを特徴とするフラッシュメモリホルダ。
【発明の詳細な説明】
【技術分野】
【０００１】
本願発明は、ＳＤカード、コンパクトフラッシュ（登録商標）、メモリースティック、エクスプレスカード、ＵＳＢメモリといった記憶媒体（以下、これらの記憶媒体をまとめて「フラッシュメモリ」という）を収容でき、フラッシュメモリに記憶された情報（データ）の内容、タイトル、記憶日時、記憶方式（圧縮、非圧縮等）、制作者（データ制作者）などの情報（以下、これらをまとめて「メモリデータ」という）の内容を表示（記載）することのできるカードを収容できるフラッシュメモリホルダに関する。
【背景技術】
【０００２】
記憶媒体としてＣＤ、ＤＶＤなど各種のものが普及している。特に、近年は、小型で記憶容量が大きく、持ち運びも便利であり、デジタル情報やハイビジョン情報も記憶できることからフラッシュメモリが普及している。
【０００３】
フラッシュメモリは小型であるため携行に便利であるが、小型であるが故に紛失し易いという難点がある。ＣＤやＤＶＤのように表面積の大きな記憶媒体やそのケースには、記憶媒体に記憶したメモリデータを表示（記入）できるため、その表示を見るだけでメモリデータを確認することができるが、フラッシュメモリはそれに記憶されたメモリデータの内容を表示できるスペース（記載面）がないため、フラッシュメモリを一々パソコンやそれに類する機器（以下「パソコン等」という）に接続して開かないとメモリデータの内容を確認することができないという不便もあった。
【０００４】
従来、ＵＳＢメモリを携行するためのホルダ（特許文献１）や、ＳＤカード又はマイクロＳＤカード専用の収容ケース（非特許文献１）があった。
【先行技術文献】
【特許文献】
【０００５】
【特許文献１】実用新案登録第３１３４９８８号公報
【非特許文献１】http://www2.elecom.co.jp/data-media/sd/cmc-11/index.asp  エレコム株式会社ホームページ
【発明の概要】
【発明が解決しようとする課題】
【０００６】
前記特許文献１記載のホルダは、フラッシュメモリを収容できるようにしただけであるため、その外観を見ただけではメモリデータの内容を確認できず、内容を確認するためにはフラッシュメモリをパソコン等に接続して開かなければならない。
【０００７】
前記非特許文献１記載のケースは、ＳＤカード又はマイクロＳＤカードに記憶されたメモリデータの内容を記入できるカードを収容できるようにしてあるが、そのケースはＳＤカード又はマイクロＳＤカード専用であるため小さく、前記カードも小さい。そのため、メモリデータの内容を記載するスペースも小さく（狭く）、記入しにくい、記入される文字が小さくて読みにくい、カード収容体が引き出し式であるため構造が複雑であり、引き出しなしではカードを収容できない（収容しても脱落する）といった難点がある。
【０００８】
本願発明の解決課題は、フラッシュメモリの携行、管理、整理に便利であり、メモリデータの内容を表示することができ、一つのフラッシュメモリに記憶されたデータを多数（数十から数百或いは数千）のフラッシュメモリに複製しても、それらフラッシュメモリを個別に収容でき、それらフラッシュメモリのメモリデータを複製されたフラッシュメモリの数だけ手軽に作成できるようにしたフラッシュメモリホルダを提供することにある。
【課題を解決するための手段】
【０００９】
本願発明のフラッシュメモリホルダは、フラッシュメモリを収容可能なメモリ収容体と、当該メモリ収容体に収容されるフラッシュメモリに記憶されたメモリデータの内容を表示した情報カードを収容可能なカード収容体を備え、前記メモリ収容体は、重ねたシート間にメモリ収容空間を備え、前記カード収容体は、重ねたシート間にカード収容空間を備え、前記メモリ収容体には、フラッシュメモリを出し入れ可能なメモリ出し入れ口が前記メモリ収容空間に連通して設けられ、前記カード収容体には、情報カードを出し入れ可能なカード出し入れ口が前記メモリ収容空間に連通して設けられ、前記カード収容体は、カード収容空間内に収容した情報カードを外部から透視可能であり、前記メモリ収容体とカード収容体は、並んで又は重なっているものである。メモリ収容体及びカード収容体は軟質材製とすることができる。本願発明のフラッシュメモリホルダは、メモリ収容体とカード収容体の間に折りたたみ部を設けて、折りたたみ式とすることもできる。
【発明の効果】
【００１０】
本願発明のフラッシュメモリホルダは次の効果がある。
（１）フラッシュメモリを収容可能なメモリ収容体と、メモリ収容体に収容されるフラッシュメモリに記憶されたメモリデータの内容を表示した情報カードを収容可能なカード収容体を備え、両収容体は並んで又は重なっているので、夫々の収容部にフラッシュメモリ、情報カードを収容しておけば、フラッシュメモリの紛失を防止でき、情報カードに表示されているメモリデータを一見するだけで、フラッシュメモリに記憶されているデータ内容を把握することができ、メモリ収容体に収容されているフラッシュメモリを一々取り出してパソコン等に接続して開く必要が無く、便利である。
（２）シート収容部はカード収容空間内に収容した情報カードを外部から透視可能としてあるので、情報カードをカード収容空間から一々取り出さなくても表示されているメモリデータの内容を確認することができ、確認に便利である。
（３）カード収容体が情報カードを出し入れ可能なカード出し入れ口を備えているので、メモリ収容体に他のフラッシュメモリを入れ替えても、そのフラッシュメモリのメモリデータの内容を表示した情報カードに入れ替えることができるので、情報カードに表示のメモリデータとフラッシュメモリのメモリデータを整合させることができ、不一致によるトラブル発生のおそれが無い。
（４）カード収容体に情報カードを入れることができるので、情報カードの破損や汚れを防止することができる。
（５）カード収容体は名刺サイズ或いはカードサイズの情報カードを収容可能なサイズとした場合、規格化されている用紙を利用して、汎用のプリンタで多数枚の情報カードを容易に作成でき、一つのフラッシュメモリから多数のフラッシュメモリを複製する場合でも、複製されたフラッシュメモリの数だけの情報カードを手軽に用意することができる。
（６）メモリ収容体とカード収容体は軟質材製であるため、フラッシュメモリの形状やサイズが多少違っても、一つのメモリ収容体に各種サイズのフラッシュメモリを収容することができ、サイズの異なるフラッシュメモリ別に各種サイズのメモリ収容体を用意する必要が無く、便利である。
（７）メモリ収容体とカード収容体の間に折りたたみ部を設けた場合、その部分から折りたたんでコンパクトにすることができ、場所を取らず、携行や保存、郵送等に便利である。
【図面の簡単な説明】
【００１１】
【図１】本願発明のフラッシュメモリホルダの一例を示すもので、カード収容体の上周縁にメモリ収容体が設けられた場合の正面図。
【図２】本願発明のフラッシュメモリホルダの他例を示すもので、蓋つきのメモリ収容体がカード収容体の上周縁に設けられた場合の正面図。
【図３】本願発明のフラッシュメモリホルダの他例を示すもので、メモリ収容体とカード収容体の間に折りたたみ部が設けられた場合の正面図。
【図４】メモリ収容体とカード収容体の間に折りたたみ部が設けられた場合の一例を示すものであって、（ａ）は折りたたみ前の斜視図、（ｂ）は折りたたんだ状態の斜視図。
【図５】メモリ収容体をカード収容体の表面に設けた場合の一例を示すものであって、（ａ）は正面図、（ｂ）はその裏面図。
【図６】本願発明のフラッシュメモリホルダの他例を示すもので、メモリ収容体がカード収容体の表面上部に設けられた場合の正面図。
【発明を実施するための形態】
【００１２】
（実施形態１）
本願発明のフラッシュメモリホルダの第１の実施形態について、図１を参照しながら説明する。この実施形態のフラッシュメモリホルダ１は、横長方形のカード収容体４と、フラッシュメモリ２を収容するためのメモリ収容体３を備えたものであり、メモリ収容体３とカード収容体４は、透視性（透過性）を有するフレキシブルなビニル製（軟質樹脂製）のものである。本願において、「軟質樹脂」とはゴムのように弾性率の小さいプラスチックのことをいい、ＥＶＡ（エチレン酢酸ビニル）、軟質ＰＥ（ポリエチレン）、ポリブテンなどそれ自体が軟質の樹脂のほか、ポリ塩化ビニルのような硬い樹脂に可塑剤を加えて軟質にしたものも含まれる。
【００１３】
前記メモリ収容体３は、２枚の横長のシート（表面シートと裏面シート）を重ねて両シートの周縁を接合したものであり、両シートの間にメモリ収容空間５が形成され、フラッシュメモリ２を収容できるようにしてある。メモリ収容体３の一端（図１中の右側）にはメモリ出し入れ口３ａがメモリ収容空間５と連通して設けられ、フラッシュメモリ２を出し入れできるようにしてある。メモリ出し入れ口３ａには蓋（図示しない）を設け、メモリ収容体３に収容したフラッシュメモリ２が不用意に脱落しないようにすることもできる。
【００１４】
メモリ収容体３はカード収容体４と別に成形され、接着剤などの既存の接着手段によってカード収容体４の上周縁に取り付けられている。メモリ収容体３はカード収容体４と一体に成形することもできる。メモリ収容体３はカード収容体４の左側縁、下縁等の所望箇所に設けることもできる。
【００１５】
前記カード収容体４は２枚の横長のシート（表面シートと裏面シート）を重ねて両シートの周縁を接合したものであり、両シートの間にカード収容空間６が形成されたものである。カード収容体４の一端（図１中の右側）にはカード出し入れ口４ａがカード収容空間６に連通して設けられ、そのカード出し入れ口４ａからフラッシュメモリ２に記憶されたメモリデータの内容を表示した情報カード７を出し入れできるようにしてある。情報カード７は前述の名刺サイズ又はカードサイズであり、カード収容体４は当該情報カード７を収容可能な大きさとしてある。
【００１６】
本願において、名刺サイズとは、汎用の名刺、例えば、９１ｍｍ×５５ｍｍ（一般に、東京では４号、大阪では９号と呼ばれるサイズ）程度のサイズを意味する。この名刺サイズは一例であり、これに限定されるものではない。例えば、前記名刺サイズよりも数ｍｍ程度（例えば、５ｍｍ程度）大きいものや小さいものも含まれる。
【００１７】
本願において、カードサイズとはキャッシュカードやクレジットカードと同じ又はその程度のサイズを意味する。より具体的には、ＪＩＳ（ＪＩＳＸ６３０１）、ＩＳＯ（ＩＳＯ／ＩＥＣ７８１０）、サイバネ規格（社団法人日本鉄道技術協会の特別部会である日本サイバネティクス協議会が定めるＩＣ乗車カードの規格）等で規定される一般的なカードサイズのことをいう。ＪＩＳで定義されているカードサイズは８５．６ｍｍ×５４．０ｍｍ×０．７６ｍｍ、ＩＳＯで定義されているカードサイズは８５．６０ｍｍ×５３．９８ｍｍ×０．７６ｍｍであり、クレジットカード、キャッシュカード、Ｓｕｉｃａ（登録商標）などに適用されるサイズである。サイバネ規格で定義されているカードサイズは８５．０ｍｍ×５７．５ｍｍ×０．２５ｍｍであり、定期券、ＪＲ乗車券などの磁気カードに適用されるサイズである。前述のカードサイズは一例であり、カードサイズはこれらに限定されるものではない。例えば、前記カードサイズよりも数ｍｍ程度（例えば、５ｍｍ程度）大きいものや小さいものも含まれる。
【００１８】
いずれにせよ、情報カード７はメモリデータの内容を表示するスペースを十分に確保することができ、かつ、汎用のプリンタ（家庭用プリンタ、業務用プリンタなど）で多数枚印刷可能なサイズのカードとするのが好ましい。
【００１９】
前記カード出し入れ口４ａには蓋４ｂを設けて、カード収容体４に収容した情報カード７がカード出し入れ口４ａから不用意に脱落しないようにしてある。蓋４ｂはカード出し入れ口４ａを閉塞できる程度の大きさの樹脂製のシートであり、カード出し入れ口４ａの上に被さる程度のサイズにしてある。蓋４ｂとカード収容体４の一方に突条を、他方にその突条に嵌合する溝を設け、互いを嵌合することにより蓋４ｂが不用意に開かないようにしてある。蓋４ｂが開かないようにするための機構や構造は前述のもの以外のものであってもよい。
【００２０】
この実施形態では、カード出し入れ口４ａをカード収容体４の右側方に設けているが、カード収容体４の他の箇所に設けることもできる。カード収容体４の表面又は裏面には、情報カード７を取り出し易くするための操作孔（図示しない）を形成してもよい。
【００２１】
カード収容体４の右側方の両コーナー（上下のコーナー）にはフラッシュメモリ２の連結材（紐）９を取り付けるための連結部（孔）８が設けられている。両連結部８間にはストラップを取り付けるためのストラップ取付け部１０（孔）を設けることもできる。連結部８やストラップ取付け部１０はカード収容体４の他の箇所に設けることができる。連結部８やストラップ取付け部１０は設けなくてもよい。
【００２２】
（実施形態２）
本願発明のフラッシュメモリホルダの第２の実施形態について、図２を参照しながら説明する。図２に示すフラッシュメモリホルダ１は、カード収容体４と同程度の大きさのメモリ収容体３を、接着剤などの既存の接着手段によってカード収容体４の上周縁に取り付けたものである。メモリ収容体３及びカード収容体４がフレキシブルなビニル製（軟質樹脂製）であること、メモリ収容体３が２枚のシートの周縁を接合して形成されたものであること、両シートの間にメモリ収容空間５が形成されていること、カード収容体４が２枚のシートの周縁を接合して形成されたものであること、両シートの間にカード収容空間６が形成されていること、メモリ収容体３の一部にメモリ収容空間５に連通するメモリ出し入れ口３ａが設けられていること、カード収容体４の一部にカード収容空間６に連通するカード出し入れ口４ａが設けられていること、情報カード７が名刺サイズ又はカードサイズであること、カード収容体４は当該情報カード７を収容可能な大きさであること（以下、これらを「基本構造」という）は前記実施形態と同様である。
【００２３】
前記メモリ収容体３はカード収容体４と同程度の大きさであり、内部に各種サイズのフラッシュメモリ２を収容できるようにしてある。図２に一例として示すメモリフラッシュ２は、樹脂製ケース１１に収容されたコンパクトフラッシュ（登録商標）である。メモリ出し入れ口３ａには蓋３ｂを設け、メモリ収容体３に収容したフラッシュメモリ２が不用意に脱落しないようにしてある。蓋３ｂは、実施形態１におけるカード収容体４の蓋４ｂと同様のものとすることができる。蓋３ｂ、４ｂは一方にだけ設けることもできる。
【００２４】
前記カード収容体４は横長方形であり、その一部にカード出し入れ口４ａを設けて情報カード７を出し入れできるようにしてある。この情報カード７にはメモリデータの内容を表示することができ、例えば、図２に示すように「タイトル」、「会場」、「規格」を表示可能なものとすることができる。
【００２５】
メモリ収容体３とカード収容体４は一体成型することも、別体のものを接着剤等の取付け手段によって一体にすることもできる。カード収容体４には連結部８やストラップ取付け部１０を設けることもできる。
【００２６】
（実施形態３）
本願発明のフラッシュメモリホルダの第３の実施形態について、図３を参照しながら説明する。図３に示すフラッシュメモリホルダ１の基本構造は前記実施形態と同様である。異なるのは、メモリ出し入れ口３ａ及びカード出し入れ口４ａの開口位置である。
【００２７】
前記メモリ出し入れ口３ａはメモリ収容体３の下端側（カード収容体４側）に設けられ、フラッシュメモリ２を出し入れできるようにしてある。メモリ出し入れ口３ａには蓋（図示しない）を設けて、メモリ収容空間５内に収容したフラッシュメモリ２が不用意に脱落しないようにすることが好ましい。
【００２８】
前記カード出し入れ口４ａはカード収容体４の上端側（メモリ収容体３側）に設けられ、情報カード７を出し入れできるようにしてある。カード出し入れ口４ａには蓋（図示しない）を設けて、カード収容空間６に収容した情報カード７が不用意に脱落しないようにすることが好ましい。
【００２９】
（実施形態４）
本願発明のフラッシュメモリホルダの第４の実施形態について、図４を参照しながら説明する。図４に示すフラッシュメモリホルダ１の基本構造は前記実施形態と同様である。異なるのは、メモリ収容体３とカード収容体４の間に折りたたみ部１２を設けて、折りたたみ式としたことである。
【００３０】
図４（ａ）に示すフラッシュメモリホルダ１は、図３に示すフラッシュメモリホルダ１のメモリ収容体３とカード収容体４の間に折りたたみ部１２を設けたものである。メモリ収容体３にはフラッシュメモリ２が、カード収容体４には情報カード７が収容されている。折りたたみ部１２はメモリ収容体３とカード収容体４と同様のフレキシブルなビニル製（軟質樹脂製）であり、フラッシュメモリホルダ１を当該部分から内向き又は外向きに折りたためるようにしてある。メモリ出し入れ口３ａとカード出し入れ口４ａには蓋（図示しない）を設けることもできる。
【００３１】
メモリ収容体３とカード収容体４の重合面対向位置には一対の固定具１３を設けておき、折りたたんだフラッシュメモリホルダ１（図４（ｂ））が、不用意に開かないようにすることもできる。固定具１３として、チャック、ボタン、括り紐などの各種固定手段を用いることができる。
【００３２】
この実施形態では、図３に示すフラッシュメモリホルダ１を一例として説明しているが、図１や図２に示すフラッシュメモリホルダ１のメモリ収容体３とカード収容体４の間に折りたたみ部１２を設けて、折りたためるようにすることもできる。
【００３３】
（実施形態５）
本願発明のフラッシュメモリホルダの第５の実施形態について、図５を参照しながら説明する。図５に示すフラッシュメモリホルダ１の基本構造は前記実施形態と同様である。異なるのは、メモリ収容体３がカード収容体４の一面（例えば表面）に重ねて設けられたことである。カード収容体４とメモリ収容体３は一体成型することも、別体のものを接着剤などで一体にすることもできる。
【００３４】
図５（ａ）はこの実施形態の正面図であり、図５（ｂ）はその裏面図である。カード収容体４にはカード収容空間４が設けられ、カード収容体４の上方に設けられたカード出し入れ口４ａから情報カード７を出し入れできるようにしてある。情報カード７は図５（ｂ）に示すように裏面側から内容が見えるように裏向きに入れることが好ましいが、表向きにすることもできる。カード出し入れ口４ａには蓋４ｂが設けられ、収容した情報カード７が不用意に脱落しないようにしてある。
【００３５】
前記メモリ収容体３は、縦方向の長さがカード収容体４の半分程度の横長方形であり、メモリ収容体３の上方側に設けられたメモリ出し入れ口３ａから、フラッシュメモリ２を出し入れできるようにしてある。
【００３６】
図５（ａ）、（ｂ）では、メモリ収容体３がカード収容体４よりも小さな場合を一例として説明しているが、メモリ収容体３はカード収容体４と同じ又は略同じ大きさとすることもできる。
【００３７】
メモリ収容体３とカード収容体４を重ねる場合、３枚のシートを重ね合わせてそれらの周縁を接合し、表面シートと中シートの間にメモリ収容空間５を、中シートと裏面シートの間にカード収容空間６を形成してもよい。中シートを共有とすることで薄型、低コストのフラッシュメモリホルダ１とすることができる。
【００３８】
（実施形態６）
本願発明のフラッシュメモリホルダの第６の実施形態について、図６を参照しながら説明する。図６に示すフラッシュメモリホルダ１の基本構造は前記実施形態と同様である。異なるのは、メモリ収容体３がカード収容体４の表面上方に横向きに設けられたことである。
【００３９】
図６に示すフラッシュメモリホルダ１は、メモリ収容体３とカード収容体４を別々に成形し、メモリ収容体３を接着剤によってカード収容体４の上方に横向きに貼り付けたものである。接着手段や取付け向きは任意に選択することができる。メモリ収容体３とフラッシュメモリ収容体４は一体成型することもできる。
【００４０】
カード収容体４には連結部８とストラップ取付け部１０が設けられているが、連結部８やストラップ取付け部１０は設けなくてもよい。
【００４１】
（他の実施形態）
前記実施形態では、ビニル製（軟質樹脂製）のフラッシュメモリホルダを一例として説明しているが、シリコンなどの他の材質製とすることもできる。メモリ収容体及びカード収容体は１枚のシートを重なり合う様に丸めて、その重なった部分の周縁を接合してその内側にメモリ収容空間及びカード収容空間ができるようにしてもよい。カード収容体には、収容した情報カードを外部から視認するための透視窓を設けることもできる。メモリ収容体やカード収容体の形状は任意に変更することができ、例えば、円形、星形、ハート形といった装飾的な形状としたり、各種色付きのものとしたりすることができる。メモリ収容体とカード収容体の蓋、連結部、ストラップ取付け部、操作窓は設けても設けなくてもよい。
【００４２】
本願発明のフラッシュメモリホルダは、自社の商品やサービス（以下「商品等」という）の宣伝広告に便利である。宣伝広告のため、商品等の情報（以下「商品等情報」とう）を記憶したＤＶＤなどが配布されることがある。デジタル技術が発展した近年では、商品等情報もハイビジョンでの提供が望まれているが、ＤＶＤではハイビジョンを記憶・再生することができない。この問題を解決する方法として、ＤＶＤと同様の光ディスク記憶媒体としてブルーレイディスクを使用することが考えられるが、職場で一般的に使用されているパソコンにはブルーレイディスクドライブは搭載されていないのが現状であり、利便性に欠ける。また、外付けのハードディスク（ＨＤＤ）もハイビジョンを記憶再生できるが、ＨＤＤを配布したり持ち運んだりするのは現実的ではない。フラッシュメモリは、パソコンで再生でき、ハイビジョンを記憶して再生でき、持ち運びも容易であるため、配布用記憶媒体として非常に便利である。本願発明のフラッシュメモリホルダは、個人的な利用価値のほか、上記したような宣伝広告用フラッシュメモリのホルダとして高い利用価値がある。
【符号の説明】
【００４３】
１      フラッシュメモリホルダ
２      フラッシュメモリ
３      メモリ収容体
３ａ    メモリ出し入れ口
３ｂ    蓋
４      カード収容体
４ａ    カード出し入れ口
４ｂ    蓋
５      メモリ収容空間
６      カード収容空間
７      情報カード
８      連結部（孔）
９      連結材
１０    ストラップ取付け部（孔）
１１    樹脂製ケース
１２    折りたたみ部
１３    固定具
【図１】
2012153381.tif 000003
【図２】
2012153381.tif 000004
【図３】
2012153381.tif 000005
【図４】
2012153381.tif 000006
【図５】
2012153381.tif 000007
【図６】
2012153381.tif 000008